(57)【要約】【課題】外壁面材の表面に発生する汚れ、特に雨水などの水に起因する汚れを抑制することのできる防汚構造を得る。【解決手段】外壁面材１２には、上下方向に横溝部１３が複数形成されている。各横溝部１３の間には、化粧面１５ａを表面に有する凸部１５が形成されている。横溝部１３には、奥底１６と、その奥底１６上端から手前側へ延びる上底１７と、その奥底１６下端から手前側へ延びる下底１８とが形成されている。上底１７は、化粧面１５ａから奥底１６にかけて直線状に上方傾斜する傾斜面１７ａとして構成されている。そして、化粧面１５ａ下端と傾斜面１７ａ先端との鋭角状部分が水切り点１７ｂとされている。これにより、化粧面１５ａを伝って流れてきた水は水切り点１７ｂにおいて水切りされることから、横溝部１３内へ入り込む可能性が低減される。【選択図】図３
2008111265.tif 000002
【特許請求の範囲】
【請求項１】
外壁面材の表面に溝が形成されることにより前記表面及び溝による凹凸状の化粧が施されている外壁面の防汚構造であって、
前記溝として少なくとも横方向に延びる横溝部を備えるとともに、前記横溝部の奥側への水の侵入を阻止すべく当該横溝部の手前側において水切りを行う水切り手段を備えていることを特徴とする外壁面の防汚構造。
【請求項２】
前記水切り手段は、前記横溝部の上部手前側に形成された水切り部である請求項１記載の外壁面の防汚構造。
【請求項３】
前記水切り手段は、前記外壁面材に一体形成されている請求項１又は２記載の外壁面の防汚構造。
【請求項４】
前記水切り手段による水切り点が、前記横溝部の上部手前側の端部に設定されている請求項１乃至３のいずれかに記載の外壁面の防汚構造。
【請求項５】
前記水切り手段による水切り点が、前記外壁面材の表面と略同一平面上に設定されている請求項１乃至４にいずれかに記載の外壁面の防汚構造。
【請求項６】
前記横溝部の上底が当該横溝部の奥側へ向けた上り傾斜となる傾斜面として形成され、前記水切り手段は、前記傾斜面の手前側の端部と当該端部に連続した前記外壁面材の表面とにより形成される鋭角状部分である請求項１乃至５にいずれかに記載の外壁面の防汚構造。
【請求項７】
前記横溝部内に入り込んだ水を排出させる排水手段を前記横溝部の下底に備えている請求項１乃至６にいずれかに記載の外壁面の防汚構造。
【請求項８】
前記横溝部の下底が当該横溝部の手前側へ向けた下り傾斜となる傾斜面として形成され、当該傾斜面により前記排水手段が形成されている請求項７記載の外壁面の防汚構造。
【請求項９】
前記溝として上下方向に延びる縦溝部がさらに備えられており、当該縦溝部は上下方向にみて上端又は中途位置から下端位置まで連続して延びるように形成されている請求項１乃至８のいずれかに記載の外壁面の防汚構造。
【請求項１０】
請求項１乃至９にいずれかに記載の防汚構造を有する外壁パネルを複数備え、これら各外壁パネルが建物構造体に取付けられている建物。
【請求項１１】
請求項９に記載の防汚構造を有する外壁パネルを複数備え、これら各外壁パネルのうち一部の外壁パネルが上下に隣接するように配置されており、上下に隣接する外壁パネルのうち下方の外壁パネルの縦溝部はパネル上端位置からパネル下端位置まで連続して延びるものであり、
さらに上方に位置する外壁パネルの縦溝部の下端と、下方に隣接する外壁パネルの縦溝部の上端とが、上下方向の同一軸線上に配置されている建物。
【発明の詳細な説明】
【技術分野】
【０００１】
本発明は、外壁面の防汚構造及び建物に関する。
【背景技術】
【０００２】
従来から、住宅等の建物において、縦溝や横溝が形成されることで表面に化粧が施された外壁パネルを構造体に取付けたものが知られている。外壁パネルを構成する外壁面材は、例えば、図７（ａ）に示されるように、表面部７２に横溝部７３などが形成されて化粧が施されている。横溝部７３は、上辺部が奥側下り傾斜とされ、下辺部が奥側上り傾斜とされているのが一般的である。ここで、外壁面材の表面部７２は風雨に曝されるため、経年により横溝部７３内には塵埃や虫の死骸等（以下、塵埃等という）ｄが堆積し易い。そのため、雨が降ったときなどは、外壁面材の表面部７２を伝って流れてきた水が横溝部７３内に廻り込み、堆積した塵埃等ｄを巻き込みながら、横溝部７３より下方の外壁面材の表面部７２を伝って流下することになる。その結果、雨水が乾燥したときに、塵埃等ｄが雨水の流れた跡に沿って外壁面材の表面部７２に浮き出て汚れる問題があった。
【０００３】
この点、特許文献１に記載の防汚構造では、図７（ｂ）に示されるように、外壁面材の表面部８２に、横溝部８３を設け、その上底に奥側下り傾斜している傾斜部８４と、その下底に奥側下り傾斜している樋部８５を形成し、横溝部８３の両端に図示しない縦溝部を上下方向に連続して設ける構成としている。このため、外壁面材の表面部８２を流れる雨水が傾斜部８４を経て横溝部８３に流入し、横溝部８３内の樋部８５により縦溝部に導かれ、当該縦溝部を伝って下方に流出される。これにより、樋部８５に堆積した塵埃等ｄは外観上目立たず、堆積しなかった塵埃等ｄは縦溝部を介して流出され、表面部８２の汚れの発生を防止している。
【特許文献１】特開平１１-２５６７９３号公報
【発明の開示】
【発明が解決しようとする課題】
【０００４】
しかしながら、特許文献１に記載されている防汚構造では、外壁面材の表面部８２から流れ落ちてきた雨水が横溝部８３に導かれた後、横溝部８３内の塵埃等ｄの堆積物によって、雨水の流れが堰き止められることが考えられる。この場合、塵埃等ｄの堆積物が混入した雨水が横溝部８３の手前側から溢れ出し、塵埃等ｄの堆積物が混入した雨水が表面部８２を伝って流れるため、表面部８２が汚れ、本来の防汚効果が得られないという懸念がある。
【０００５】
本発明は、上記の懸念を勘案してなされたものであり、外壁面材の表面に発生する汚れ、特に雨水などの水に起因する汚れを抑制することのできる防汚構造及び建物を提供することを主たる目的とする。
【課題を解決するための手段】
【０００６】
本発明は、上記課題を解決するために、以下の手段を採用した。
【０００７】
すなわち、第１の発明では外壁面材の表面に溝が形成されていることにより前記表面及び溝による凹凸状の化粧が施されている外壁面の防汚構造であって、前記溝として少なくとも横方向に延びる横溝部を備えるとともに、前記横溝部の奥側への水の侵入を阻止すべく当該横溝部の手前側において水切りを行う水切り手段を備えていることを特徴とする。
【０００８】
第１の発明によれば、水切り手段により横溝部の手前側において水切りが行われ、横溝部の奥側への浸入が抑制される。このため、水が横溝部に浸入する可能性が低減されるため、横溝部に堆積した塵埃等の巻き込む量を低減することができる。これにより、塵埃等の堆積物があまり巻き込んでいない水が外壁面材の表面を伝って流下される。したがって、外壁面材の表面に残った水が乾燥した場合でも、その表面に浮き出る堆積物の量を低減することができる。その結果、横溝部内の堆積物の量にかかわらず、外壁面の防汚効果を発揮することができる。
【０００９】
第２の発明では、第１の発明において、前記水切り手段は、前記横溝部の上部手前側に形成された水切り部であることを特徴とする。
【００１０】
第２の発明によれば、横溝部の上部手前側で水切り部により水切りが行われる。このため、横溝部の上部中途位置で水切りを行う場合に比べて、横溝部に浸入する水量を低減することができる。したがって、水が巻き込む堆積物の量を一層低減することができる。
【００１１】
第３の発明では、第１又は第２の発明において、前記水切り手段は、前記外壁面材に一体形成されていることを特徴とする。
【００１２】
第３の発明によれば、水切り手段が外壁面材に一体形成されている。このため、外壁面材を製造する際に、水切り手段を併せて形成することができるため、外壁面材に別体の水切り手段を設けるよりも作業工数を少なくすることができ、外壁構築に至るまでの作業性を向上することができる。
【００１３】
第４の発明では、第１乃至第３の発明において、前記水切り手段による水切り点が、前記横溝部の上部手前側の端部に設定されていることを特徴とする。
【００１４】
第４の発明によれば、横溝部の上部手前側の端部で水切りが行われる。このため、横溝部内に浸入する水量を更に低減することができ、それに伴って水が塵埃等の堆積物を巻き込む量も更に低減することができる。
【００１５】
第５の発明では、第１乃至第４の発明において、前記水切り手段による水切り点が、前記外壁面材の表面と略同一平面上に設定されていることを特徴とする。
【００１６】
第５の発明によれば、水が水切り点で水切りが行われた後、その水切り点と略同一平面上に設定されている外壁面材の表面を伝って流下される。このため、風の要因を除けば水が横溝部内に浸入するおそれが殆どなく、横溝部内の塵埃等の堆積物を巻き込みながら流下する不具合を高度に抑制することができる。また水が外壁面材の表面を伝って水切り点まで円滑に流れるため、迅速に水切りが行われる。したがって、外壁面材の表面での水の停滞を抑制することができる。その結果、外壁面材の表面に付着する塵埃等の量を低減することができる。
【００１７】
第６の発明では、第１乃至第５の発明において、前記横溝部の上底が当該横溝部の奥側へ向けた上り傾斜となる傾斜面として形成され、前記水切り手段は、前記傾斜面の手前側の端部と当該端部に連続した前記外壁面材の表面とにより形成される鋭角状部分であることを特徴とする。
【００１８】
第６の発明によれば、傾斜面の手前側の端部と端部に連続した前記外壁面材の表面とにより形成される鋭角状部分で水切りが行われる。このため、水切り手段を容易に構築することができ、また水切り手段の存在によって美観が損なわれるおそれもない。
【００１９】
第７の発明では、第１乃至第６の発明において、前記横溝部内に入り込んだ水を排出させる排水手段を前記横溝部の下底に備えていることを特徴とする。
【００２０】
第７の発明によれば、万一、横溝部内に水が入り込んだとしても、排水手段によってその水が排出される。このため、水が横溝部内に滞留することを防止することができ、水が横溝部内の塵埃等の堆積物によって堰き止められるおそれがない。したがって、塵埃等の堆積物が混入した水が横溝部の手前側から溢れ出すことを防止することができる。
【００２１】
第８の発明では、第７の発明において、前記横溝部の下底が当該横溝部の手前側へ向けた下り傾斜となる傾斜面として形成され、当該傾斜面により前記排水手段が形成されていることを特徴とする。
【００２２】
第８の発明によれば、横溝部の手前側へ向けた下り傾斜となる傾斜面により、横溝部の下底において横溝部内に入り込んだ水が即座に排出される。しかも、排水手段を容易に構築することができ、また排水手段の存在によって美観が損なわれるおそれもない。
【００２３】
第９の発明では、第１乃至第８の発明において、前記溝として上下方向に延びる縦溝部がさらに備えられており、当該縦溝部は上下方向にみて上端又は中途位置から下端位置まで連続して延びるように形成されていることを特徴とする。
【００２４】
第９の発明によれば、上下方向にみて上端又は中途位置から下端位置まで連続して延びるように形成されている縦溝部を通って水が流下される。このため、縦溝部が外壁面材での排水効果を奏し、その表面での水の停滞を抑制することができる。すなわち、仮に縦溝部が下端位置へ向けた中途位置までしか存在しなければ、当該中途位置からは塵埃等を大量に含んだ水が外壁面材の表面に至る可能性があるが、このような不具合がない。その結果、外壁面材の表面に付着する塵埃等の量を抑制することができ、外壁面の防汚効果を一層向上することができる。
【００２５】
第１０の発明では、第１乃至第９の発明のいずれかに記載の防汚構造を有する外壁パネルを複数備え、これら各外壁パネルが建物構造体に取付けられている建物であることを特徴とする。
【００２６】
第１０の発明によれば、第１乃至第９の発明に記載の発明において奏する効果を建物において享受し得る。また、外壁パネルとして予め第１乃至第９の発明に対応した防汚構造を構築しておけば済むため、建築現場において防汚構造を構築する必要がなく、建築現場における施工効率がよいという利点がある。
【００２７】
第１１の発明では、第９の発明に記載の防汚構造を有する外壁パネルを複数備え、これら各外壁パネルのうち一部の外壁パネルが上下に隣接するように配置されており、上下に隣接する外壁パネルのうち下方の外壁パネルの縦溝部はパネル上端位置からパネル下端位置まで連続して延びるものであり、さらに上方に位置する外壁パネルの縦溝部の下端と、下方に隣接する外壁パネルの縦溝部の上端とが、上下方向の同一軸線上に配置されている建物であることを特徴とする。
【００２８】
第１１の発明によれば、第９の発明に記載の防汚構造を有する外壁パネルを、上下に隣接するように配置された建物において、水が上下方向の同一軸線上に配置されている縦溝部を通って流下される。このため、外壁パネルが上下に隣接するように配置された建物においても、一連の縦溝部により外壁面材の表面において好適に排水効果を発揮することになる。
【発明を実施するための最良の形態】
【００２９】
以下、本発明を具体化した一実施形態について図面を参照しつつ説明する。なお、本実施形態は、住宅等の建物において、外壁を構成する外壁パネルに防汚構造を適用したものである。
【００３０】
図１は一実施形態における外壁パネル群の全体斜視図、図２は外壁面材の表面の一部拡大正面図である。図１に示される外壁パネル１１は建物の梁等の構造体に対して略鉛直に配置されるものである。同図に示されるように、外壁パネル１１は、矩形平板状の外壁面材１２と、その裏面に固定される下地フレーム２１とにより構成されている。なお、本実施形態では、外壁面材１２として、例えば窯業系サイディングを使用している。
【００３１】
外壁面材１２の表面には、横溝部１３が上下方向に所定間隔をおいて複数形成されている。横溝部１３は、略水平方向（横方向）へ延びるように、かつ外壁面材１２の左右両端を貫通するように形成されている。その横溝部１３に直交するように、矩形状断面の縦溝部１４が左右に所定間隔をおいて複数形成されている。縦溝部１４は、略鉛直方向（上下方向）へ延びるように、かつ外壁面材１２の上下両端を貫通するように形成されている。そして、各横溝部１３と各縦溝部１４とが交差することにより、それらに囲まれた表面平坦状の凸部１５が多数形成されている。すなわち、外壁面材１２の表面には、全体として直方体の柄が形成されている。なお、凸部１５の表面が化粧面１５ａとされている。
【００３２】
外壁パネル１１は左右に隣接して配置される他、上下にも隣接して配置されている。そして、上下に隣接して配置される外壁パネル１１はそれぞれの縦溝部１４が同一軸線上に配置されるように位置決めされている。したがって、例えば雨が降ったときには、雨水は外壁面材１２の表面を伝って流れるだけでなく、縦溝部１４を通っても流下される。このため、縦溝部１４自体が外壁面材１２の表面において排水効果が発揮され、その表面での雨水の停滞を抑制することができる。特に、上記のとおり上下に隣接する外壁パネル１１において縦溝部１４が同一軸線上に配置されていることから、上側の外壁パネル１１の縦溝部１４を伝って流下してくる雨水は、下側の外壁パネル１１における凸部１５の化粧面１５ａに至りにくくなる。したがって、塵埃等が混入している状態の雨水が化粧面１５ａを汚す可能性が低くなる。
【００３３】
図３（ａ）は、外壁面材１２の一部の断面形状を示す図２のＡ−Ａ線断面図である。図２及び図３（ａ）に示されるように、各凸部１５は略同一平面上に形成されている。すなわち、略同一平面上に形成された各化粧面１５ａが外壁面材１２の表面を形成していることになる。なお、化粧面１５ａの上下方向の長さを短くすることが好ましい。これにより、化粧面１５ａ（外壁面材１２の表面）での水の停滞が抑制され得る。その結果、外壁面材１２の表面に付着する塵埃等の量を抑制することができる。
【００３４】
横溝部１３は、奥底１６と、その奥底１６上端から手前側（屋外側）へ延びる上底１７と、その奥底１６下端から手前側（屋外側）へ延びる下底１８とから形成されている。上底１７は、化粧面１５ａから奥底１６にかけて直線状にかつ上方傾斜する傾斜面１７ａとして構成されている。そして、化粧面１５ａと傾斜面１７ａとにより形成される鋭角状部分が水切り点１７ｂとされている。この水切り点１７ｂの位置で化粧面１５ａを流れ落ちてきた水分の水切りが行われる。すなわち、上底１７により水切り手段が構成されている。
【００３５】
下底１８は、化粧面１５ａから奥底１６にかけて直線状にかつ上方傾斜する傾斜面である。この下底１８により、当該下底１８に至った水分を手前側（屋外側）へ排出する排水手段が構成されている。
【００３６】
ここで、凸部１５の突出量Ｌ１を５ｍｍ以上とすることが好ましい。凸部１５の突出量Ｌ１を５ｍｍ未満とすると、水切り点１７ｂと奥底１６との間隙が狭くなりすぎて、水がその間隙に入り込み横溝部１３内に廻り込むおそれがあるからである。
【００３７】
また上底１７の高さＬ２を１０ｍｍ以上とすることが好ましい。上底１７の高さＬ２を１０ｍｍ未満とすると、水切り効果を発揮することができる水勾配（傾斜面１７ａの勾配）が不足するため、水が傾斜面１７ａを伝って横溝部１３内に廻り込むおそれがあるからである。
【００３８】
以上の条件を勘案して上底１７を形成することにより、好適な水切り効果を確保することができる。なお、水切り効果は、外壁面材１２の材質，形状，それに起因する濡れ性状等により異なる。そのため、外壁面材１２の種々の性質を勘案して、水切り効果を発揮するために必要な水切りの所要寸法を設定することが好ましい。
【００３９】
上記条件の場合、本実施形態では、外壁面材１２の全体の厚さＬ３を１６ｍｍとしているが、この厚さＬ３は建物の構造体に求められる構造性能等により任意に設定すればよい。
【００４０】
図３（ｂ）は、本実施形態の防汚構造によって生ずる水の流れを説明する図であって、図２のＡ−Ａ線断面図である。なお、図３（ｂ）は、図３（ａ）に示されている外壁面材１２と同様であるため、符号は割愛する。
【００４１】
図３（ｂ）に示されるように、化粧面１５ａを伝って流れてくる水がその化粧面１５ａの下端に形成されている水切り点１７ｂに至ると、当該水切り点１７ｂにおいて水切りが行われる。水切りが行われると、水は自重によって水切り点１７ｂより下方に落下する。そして、自重により落下してきた水は、その多くが、それより下方の凸部１５に対応した化粧面１５ａに再度付着して当該化粧面１５ａを伝って流下される。仮に、水切り点１７ｂにおいて水切りが行われた水が風にあおられて横溝部１３内の下底１８に流下したとしても、その下底１８の手前側傾斜により、その手前側先端部を介してそれより下方の化粧面１５ａに向け排出される。このため、横溝部１３の奥側へ水が廻り込む可能性は低い。外壁面材１２表面側の雨水は上記のような動作を繰り返しながら流下していくことになる。したがって、化粧面１５ａを伝って流れてくる水が横溝部１３内に廻り込む可能性を低減することができる。詳細には、水が横溝部１３内の上底１７及び奥底１６に達することは殆どなく、横溝部１３内の下底１８の奥側にまで達する可能性も低い。
【００４２】
以上説明した構成及び作用により、本実施形態の外壁パネル１１を備えた建物では、以下の効果が得られる。
【００４３】
横溝部１３に、鋭角状の水切り点１７ｂを有する上底１７を形成し、水切り点１７ｂを化粧面１５ａと略同一平面上に形成した。これにより、化粧面１５ａを伝って流れてくる水が、水切り点１７ｂにおいて水切りされることで横溝部１３内に廻り込むことがないとともに、水切り後にも横溝部１３内へ入り込む可能性が低い。このため、水が横溝部１３内の塵埃等の堆積物を巻き込みながら流下することを抑制することができる。その結果、化粧面１５ａに付着した水が乾燥した場合、その表面に塵埃等の堆積物が浮き出ることはなく、外壁面の防汚効果を発揮することができる。
【００４４】
横溝部１３の下底１８を、化粧面１５ａから奥底１６にかけて直線状に上方傾斜する傾斜面となるように形成した。このため、風にあおられて水が横溝部１３内に流れ込んだとしても、横溝部１３内から即座に排水される。その結果、水が横溝部１３内で滞留することがない。したがって、水が塵埃等の堆積物を伴って横溝部１３の手前側から溢れ出すことを防止することができる。しかも、下底１８は、化粧面１５ａから奥底１６にかけて直線状に上方傾斜している形状であることから、横溝部１３内に塵埃等が堆積しにくいという利点がある。このため、横溝部１３に沿った横筋の汚れの発生を一層抑制することができる。
【００４５】
横溝部１３の水切り手段として機能する上底１７を外壁面材１２と一体形成した。このため、外壁面材１２を製造する際に、横溝部１３を形成する過程において水切り手段を併せて形成することができる。そのため、外壁面材１２に別体の水切り手段を設けるよりも作業工数を少なくすることができ、作業性を向上することができる。しかも、外壁面材１２に別体の水切り手段を設ける構成に比べて、水切り手段と外壁面材１２との間隙に水が浸入することがないため、水切り効果を阻害する要因を取り除くことができる。
【００４６】
外壁面材１２の表面に縦溝部１４を設け、外壁面材１２の上下両端を貫通するように形成した。また、上下に隣接する外壁パネル１１同士では上下の縦溝部１４が同一軸線上に配置されるようにした。これにより、水は外壁面材１２の表面だけでなく、縦溝部１４を通っても流下され、縦溝部１４がその表面において排水効果を発揮する。また、上側の外壁パネル１１の縦溝部１４を伝って流れてくる水が下側の外壁パネル１１の化粧面１５ａに至る可能性が低い。その結果、外壁面材１２の表面に付着する塵埃等の量を一層低減することができる。すなわち、外壁面材１２の表面に、縦溝部１４を上記の関係で付加することにより、防汚効果を一層向上することができる。
【００４７】
（他の実施の形態）
以上説明した実施の形態に限らず、例えば以下に別例として示した各形態で実施することもできる。
【００４８】
なお、図４（ａ）〜（ｄ）及び図５（ａ）〜（ｄ）は、外壁面の防汚構造の別例を示す一部縦断面図、図６（ａ）（ｂ）は、外壁面材１２の表面形状の別例を示す一部正面図である。また図４及び図５は、いずれも外壁面材１２の断面図であることから、図３（ａ）に示されている外壁面材の断面図と共通する形態については、図３（ａ）に付された符号を用いつつ適宜同一符号を付し、本実施形態と相違する形態については改めて符号を付加して本実施形態との相違点を中心に説明する。
【００４９】
上記実施形態では、横溝部１３内の上底１７に化粧面１５ａから奥底１６にかけて直線状に上方傾斜する傾斜面１７ａを形成したが、図４（ａ）に示されるように、傾斜面１７ａと奥底１６との間に略水平に形成された平坦部３１を設けてもよい。すなわち、横溝部１３の上底１７の一部に、好適に水切り効果を発揮することのできる傾斜面を備えていればよい。また、上記実施形態では、横溝部１３の下底１８に化粧面１５ａから奥底１６にかけて直線状に上方傾斜する傾斜面を設けたが、下底１８と奥底１６との間に略水平に形成された平坦部３２を設けてもよい。すなわち、横溝部１３の下底１８の一部に、好適に横溝部１３内から排水できる傾斜面を備えていればよい。
【００５０】
上記実施形態では、化粧面１５ａと傾斜面１７ａとにより形成される鋭角状部分を水切り点１７ｂとしていたが、図４（ｂ）に示されるように、その鋭角部分を滑らかに面取りした面取り部３５としてもよい。これにより、外壁面材１２を製造する際や、外壁面材１２を建物に取付ける際に、水切り点１７ｂが欠けることを防止することができる。またこの場合、化粧面１５ａと下底１８との間の角部分も滑らかに面取りした面取り部３６とすることが好ましい。これにより、水が横溝部１３内に流れ込んだとしても、横溝部１３内から円滑に排水され、横溝部１３内での水の滞留を一層低減することができる。さらに傾斜面１７ａと奥底１６との間の角部分や、奥底１６と下底１８との間の角部分についても同様に、滑らかに形成すれば、外壁面の防汚効果を発揮しつつ、外壁面材１２に丸みを強調した統一的な美観を付与することができる。
【００５１】
その他の水切り手段として、図４（ｃ）に示されるように、横溝部１３の上底１７を略水平に形成し、その上底１７の手前側（屋外側）の端部に矩形平板状の水切り部４１を形成する構成としてもよい。好ましくは、化粧面１５ａと水切り部４１の手前側表面とを同一平面上に形成する。これにより、化粧面１５ａから水切り部４１の手前側表面までの水の流れを円滑にすることができ、その表面での水の停滞を抑制することができる。さらに、水切り部４１の高さを１０ｍｍ以上とすることが好ましい。水切り部４１の高さを１０ｍｍ未満とすると、水が横溝部１３の上底１７を伝って横溝部１３内に廻り込むおそれがあり、好適に水切り効果を発揮することができないおそれがあるためである。
【００５２】
また、図４（ｄ）に示されるように、横溝部１３の上底１７を略水平に形成し、当該上底１７に下方へ開口する溝部５１を設ける構成としてもよい。好ましくは、溝部５１の高さ及び幅を１０ｍｍ以上とする。溝部５１の高さ及び幅を１０ｍｍ未満とすると、水が溝部の上面などを伝って横溝部１３内に廻り込むおそれがあり、好適に水切り効果を発揮することができない。
【００５３】
上記実施形態では、横溝部１３の下底１８を化粧面１５ａから奥底１６にかけて、直線状に上方傾斜する構成としたが、これを変更してもよい。例えば、図５（ａ）に示されるように、横溝部１３の下底１８を略水平としてもよく、図５（ｂ）に示されるように、横溝部１３の下底１８を、化粧面１５ａから奥底１６にかけて、直線状に下方傾斜する傾斜面としてもよい。特に、図５（ｂ）のように下底１８と奥底１６とによって全体として樋状となっていても、当該部分への水の浸入は少ないため、ここから水が溢れ出すことは殆どない。
【００５４】
上記実施形態では、横溝部１３の上底１７を化粧面１５ａから奥底１６にかけて直線状に上方傾斜する傾斜面１７ａとして構成したが、これを変更してもよい。例えば、図５（ｃ）に示されるように、上底１７を、化粧面１５ａから奥底１６の方向に、一旦、下方傾斜し、その後、上方傾斜する形状としてもよい。この場合、傾斜方向が変化するポイントが水切り点１７ｂとなる。
【００５５】
上記実施形態では、化粧面１５ａを略同一平面上に形成する構成としたが、図５（ｃ）に示されるように、外壁面材１２の表面に、突出量の異なる凸部１５を例えば交互に形成してもよく、また突出量の小さい凸部１５の上下方向長さを小さくする等のように上下方向の長さの異なる凸部１５を形成してもよい。なお、凸部１５の下面には、本実施形態と同型の傾斜面１７ａが形成されている。これにより、防汚効果を発揮しつつ、外壁面材１２に、凹凸の変化に富んだ化粧を施すことができる。
【００５６】
上記実施形態では、化粧面１５ａと傾斜面１７ａとにより形成される水切り点１７ｂを水切り手段とし、外壁面材１２に一体形成する構成としたが、横溝部１３の上底１７に、別体の水切り手段を設けてもよい。例えば、図５（ｄ）に示されるように、横溝部１３の上底１７に、本実施形態の水切り手段（または横溝部１３の上部形状）と略同形状となるような水切り部６１を別体として設けてもよい。これにより、水切り手段が設けられていない既設の外壁面材１２に、後付けで水切り部６１を設け、外壁面材１２に防汚効果を付加することができる。
【００５７】
上記実施形態では、横溝部１３を外壁面材１２の左右両端を貫通するように形成したが、略水平方向に不連続で形成してもよい。例えば、図６（ａ）に示されるように、縦溝部１４を挟んだ両側の横溝部１３の高さ位置を適宜変更するように構成したものであってもよい。
【００５８】
上記実施形態では、外壁面材１２の表面に縦溝部１４が形成され、横溝部１３が外壁面材１２の左右両端を貫通するように形成される構成としたが、縦溝部１４は必ずしも形成されなくてもよく、また横溝部１３は外壁面材１２の左右両端を貫通していなくてもよい。例えば、図６（ｂ）に示されるように、横溝部１３だけが上下方向に所定間隔をおいて複数形成される構成であってもよい。詳細には、横溝部１３の一端が外壁面材１２の右端を貫通しているもの、その一端が外壁面材１２の左端を貫通しているもの、その両端が外壁面材１２の左右両端を貫通していないもの、またはそれらの組み合わせによって構成されたものであってもよい。
【００５９】
本実施形態では、住宅等の建物の外壁を構成する外壁パネル１１であって、その外壁パネル１１を構成する外壁面材１２に本発明の防汚構造を適用したが、パネル形式の外壁以外のものであってもよい。
【図面の簡単な説明】
【００６０】
【図１】一実施形態における外壁パネル群の全体斜視図。
【図２】外壁面材の表面の一部拡大正面図。
【図３】図２のＡ−Ａ線断面図であり、特に（ｂ）は水の流れを説明する説明図。
【図４】（ａ）〜（ｄ）は外壁面の防汚構造の別例を示す一部断面図。
【図５】（ａ）〜（ｄ）は外壁面の防汚構造の別例を示す一部断面図。
【図６】（ａ）（ｂ）は外壁面材の表面形状の別例を示す一部正面図。
【図７】（ａ）は第１従来例の外壁面を示す縦断面図、（ｂ）は第２従来例の外壁面を示す縦断面図。
【符号の説明】
【００６１】
１１…外壁パネル、１２…外壁面材、１３…横溝部、１４…縦溝部、１５…凸部、１５ａ…化粧面、１６…奥底、１７…上底、１７ａ…水切り手段を構成する傾斜面、１７ｂ…水切り手段を構成する水切り点、１８…排水手段としての下底。
【図１】
2008111265.tif 000003
【図２】
2008111265.tif 000004
【図３】
2008111265.tif 000005
【図４】
2008111265.tif 000006
【図５】
2008111265.tif 000007
【図６】
2008111265.tif 000008
【図７】
2008111265.tif 000009